(57)【要約】      （修正有）【課題】回転ブラシに用いたとしても毛体を保持体に対し安定して保持することができるブラシ体を提供する。【解決手段】熱熔着等によって中央部が固定された多数の毛体２の束３と、この束３を保持する保持体５とを有するブラシ体１において、前記保持体５を椀状に形成し、この保持体５の底板部２５に対の孔３４，３５を貫通形成すると共に、保持体用結束帯６を用いて前記束３の中央部を前記保持体５内に保持して構成する。これにより、前記ブラシ体１を回転ブラシに適用しても、前記ブラシ体１の回転によって前記束３が前記保持体５から外れるのを防止することができる。また、前記保持体５の中心となる従動軸２７を基準として、前記対の孔３４，３５をほぼ対称位置に設けたから、前記ブラシ体１の回転中心付近で前記束３を前記保持体５に保持することができるので、前記束３を前記保持体５に安定して保持することができる。【選択図】図１
2015000139.tif 000002
【特許請求の範囲】
【請求項１】
中央部が固定された多数の毛体と、この毛体を保持する保持体とを有するブラシ体において、
前記保持体が有底で上部が開口した箱形をなし、この保持体の底部に対の孔を貫通形成すると共に、これらの孔に通される結束帯を用いて、前記毛体の中央部を前記保持体内に保持して構成したことを特徴とするブラシ体。
【請求項２】
前記毛体の中央部が他の結束帯によって予め結束されることを特徴とする請求項１に記載のブラシ体。
【請求項３】
前記保持体の中心を基準として、前記対の孔をほぼ対称位置に設けたことを特徴とする請求項１に記載のブラシ体。
【請求項４】
前記保持体の底部に凹部を設けると共に、この凹部の深さを、前記結束帯の頭部の寸法よりも大きくしたことを特徴とする請求項１乃至３の何れか一項に記載のブラシ体。
【発明の詳細な説明】
【技術分野】
【０００１】
本発明は、多数の毛体を保持体に保持させるブラシ体に関するものであり、電動式等の回転ブラシに用いられるのに適したブラシ体に関するものである。
【背景技術】
【０００２】
従来、この種のブラシ体としては、多数の条体からなる束（本願発明の毛体に相当する）を緊締体（本願発明の結束帯）によって緊締し、前記緊締体の延設部と条体保持器（本願発明の保持体）の挿入孔に挿入した状態で、緊締体の延設部と条体保持器を固定したものが知られている（例えば、特許文献１参照）。このようなブラシ体は、多数の条体の束を緊締体で緊締した後、この緊締体の延設部を条体保持器の挿入孔に挿入し、固定用係合部で固定することで製造されるので、効率的に製造することができる。
【先行技術文献】
【特許文献】
【０００３】
【特許文献１】特開２０１３−３９２５３号公報
【発明の概要】
【発明が解決しようとする課題】
【０００４】
このようなブラシ体は、条体の束が条体保持器に対し一箇所で固定される。そして、この構造は、手持ち型で且つ柄体が条体保持器に対して傾斜して設けられるようなものであれば、問題は表面化しない。しかしながら、上述の構造を回転ブラシに応用しようとすると、以下のような問題が生ずる。即ち、回転ブラシでは、条体保持体の中央に、回転軸に取り付けるための取付部を設ける必要があるため、挿入孔を条体保持器の中央に設けることができない。従って、挿入孔は、前記条体保持器の中心からずれた位置に設けざるを得ない。そして、条体の束を緊締体によって条体保持器の中央からずれた位置で固定したブラシ体を回転ブラシ本体に取り付け、回転させると、条体の束に加わる力で回転中心を基準として不均衡となり、最悪の場合、条体の束が条体保持器の椀形内面部から外れてしまう虞があった。
【０００５】
本発明は以上の問題点を解決し、回転ブラシに用いたとしても毛体を保持体に対し安定して保持することができるブラシ体を提供することを目的とする。
【課題を解決するための手段】
【０００６】
本発明の請求項１に記載のブラシ体は、中央部が固定された多数の毛体と、この毛体を保持する保持体とを有するブラシ体において、前記保持体が有底で上部が開口した箱形をなし、この保持体の底部に対の孔を貫通形成すると共に、これらの孔に通される結束帯を用いて、前記毛体の中央部を前記保持体内に保持して構成したことを特徴とする。
【０００７】
また、本発明の請求項２に記載のブラシ体は、請求項１において、前記毛体の中央部が他の結束帯によって予め結束されることを特徴とする。
【０００８】
また、本発明の請求項３に記載のブラシ体は、請求項１において、前記保持体の中心を基準として、前記対の孔をほぼ対称位置に設けたことを特徴とする。
【０００９】
更に、本発明の請求項４に記載にブラシ体は、請求項１乃至３の何れか一項において、前記保持体の底部に凹部を設けると共に、この凹部の深さを、前記結束帯の頭部の寸法よりも大きくしたことを特徴とする。
【発明の効果】
【００１０】
本発明の請求項１に記載のブラシ体は、以上のように構成することにより、このブラシ体を回転ブラシに適用したとしても、ブラシ体の回転によって毛体が保持体から外れるのを防止することができる。
【００１１】
なお、前記毛体の中央部を他の結束帯によって予め結束しておくことで、結束帯を用いて前記毛体を前記取付体に取り付ける際の作業性を向上させることができる。
【００１２】
また、前記保持体の中心と基準として、前記対の孔をほぼ対称位置に設けたことで、このブラシ体を回転ブラシに適用した場合、ブラシ体の回転中心付近で毛体を保持体に保持することができるので、安定して毛体を保持体に保持することができる。
【００１３】
更に、前記保持体の底部に凹部を設けると共に、この凹部の深さを、前記結束帯の頭部の寸法よりも大きくしたことで、前記結束帯の頭部が露出しないようにして、外観上良好にすることができる。
【図面の簡単な説明】
【００１４】
【図１】本発明の実施例１を示すブラシ体の断面図である。
【図２】同上、結束帯により結束した毛体の束の断面図である。
【図３】同上、ブラシ体の取付状態の断面図である。
【図４】同上、保持体の断面図である。
【図５】同上、保持体の底面図である。
【図６】同上、一部を切り欠いた従動軸とスナップリングの正面図である。
【図７】同上、電動ブラシ全体の側面図である。
【図８】同上、折り畳んだフィルムの斜視図である。
【図９】同上、折り畳んだフィルムを結束帯により結束する状態を説明する斜視図である。
【図１０】同上、結束帯により結束した毛体の束と保持体の分解斜視図である。
【図１１】同上、ブラシ体の斜視図である。
【発明を実施するための最良の形態】
【００１５】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
図１〜図１１は実施例１を示す。１はブラシ体である。このブラシ体１は、浴槽、浴室、或いは車両等の対象物の洗浄に用いるものである。なお、このブラシ体１は、合成樹脂製、金属製、或いはタイル製の浴槽又は浴室内面の洗浄に特に適する。
【００１７】
前記ブラシ体１は、多数の毛体２からなる束３と、この束３の中央部３Ａを結束した毛束用結束帯４と、保持体５と、前記毛束用結束帯４により結束された束３を前記保持体５に保持するための保持体用結束帯６とを備える。また、前記ブラシ体１は、電動ブラシ本体７に取り付けられる。この電動ブラシ本体７には、前記ブラシ体１を回動駆動するための回動駆動手段８が設けられる。そして、これらブラシ体１と電動ブラシ本体７とにより、電動ブラシ９が構成される。
【００１８】
前記毛体２は、ポリプロピレンフィルムを一方向に延伸した後、多数の細い繊維に割いて作られた、いわゆるスプリットヤーンと呼ばれるものである。
【００１９】
前記束３は、上述した多数のポリプロピレン製スプリットヤーンの毛体２からなるものである。そして、これらの毛体２からなる束３は、同方向を向くようにして全体として長方形の厚めのシート状に配列される。そして、この束３は、その中央部３Ａにおいて熱熔着された後、熔着帯の両側が縫製される。なお、ここで言う中央部３Ａとは、前記毛体２の長さ方向の中央部という意味である。このようにして、前記毛体２は、中央部３Ａにおいて固定され、前記束３が構成される。更に、このように中央部３Ａが固定された前記束３を複数回折り畳んだ後、この束３の中央部３Ａが前記毛束用結束帯４の結束部１１により緊締される。これにより、多数の前記毛体２は、中央部３Ａの被緊締箇所よりも外側が広がった状態となる。
【００２０】
前記毛束用結束帯４は、長さ方向に沿ってセレーション１２Ａが設けられた可撓性の帯状部１２と、この帯状部１２を挿通する貫通孔（図示せず）を有すると共に前記セレーション１２Ａに対応する爪が設けられた頭部１３とが、ポリアミド樹脂等の合成樹脂により一体成形されたものである。なお、この結束帯４の構造は、一般によく知られたもの（例えば、『インシュロック』（ヘラマンタイトン株式会社の登録商標）等がよく知られている）なので、詳細な説明は省略する。そして、前記帯状部１２を前記頭部１３の図示しない貫通孔に挿通することにより、これらの帯状部１２と頭部１３とが環状をなして前記結束部１１が構成される。なお、前記帯状部１２のうち、前記頭部１３の孔を通過した部分が余部１４となる。また、前記頭部１３は、略直方体状をなす。
【００２１】
よって、前記帯状部１２を、前記頭部１３の図示しない貫通孔に通し、前記結束部１１を締める向きに移動させることにより、この結束部１１は、前記毛体２の束３を緊締する内周の長さを漸次縮小させて締め付けることができる。そして、前記結束部１１により前記毛体２の束３を締め付けることで前記結束部１１が縮小すると同時に、この結束部１１を構成していた部分が前記余部１４の一部になって余部１４が延長される。
【００２２】
図４及び図５等に示すように、前記保持体５は、上部が開口した有底丸箱形をなし、合成樹脂等から構成される。なお、ここで言う丸箱状とは、必ずしも円筒状のものを指すのではなく、本実施例のように、椀形状であってもよい。本実施例の前記保持体５は、略半球面状の側面部２１と、下部の底部２２とを一体に有する椀状をなし、その側面部２１の上部に略円形の上部開口縁２３を有する。なお、ここで言う上部及び下部とは、図１及び図４における上下を示すものであり、使用状態における上下を示すものではない。前記底部２２は、前記上部開口縁２３より小さな径の筒部２４と、この筒部２４の上側を閉塞する底板部２５とからなる。また、前記上部開口縁２３と前記筒部２４の下縁は、それぞれ前記保持体５の中心軸線５Ｓと直交すると共に、相互に平行をなす。なお、前記中心軸線５Ｓは、前記保持体５の中心である。
【００２３】
前記底板部２５には、下方に向かって従動軸２７が突設される。この従動軸２７は、前記保持体５の中心軸線５Ｓに沿って設けられる。また、図６に示すように、前記従動軸２７内には、断面が非円形の係合孔２８が設けられる。本実施例では、この係合孔２８の断面形状は、平面部２８Ａを有する略Ｄ字状をなす。
【００２４】
また、前記従動軸２７には、連結手段となるスナップピン２９の直線ピン部２９Ａが係合するための直線状の切欠溝３０と、前記スナップピン２９の係合ピン部２９Ｂが係合するための係合溝３１が設けられる。前記切欠溝３０は、前記平面部２８Ａの逆側において、前記係合孔２８に連通する。なお、前記スナップピン２９は、バネ性を有するバネ鋼等からなる。
【００２５】
前記保持体用結束帯６は、前記毛束用結束帯４と同一のものである。従って、前記保持体用結束帯６の各部の名称は、前記毛束用結束帯４と同一とし、区別のため符号のみ違える。即ち、前記保持体用結束帯６では、結束部を１５、帯状部を１６、頭部を１７、余部を１８とする。なお、１９は頭部であり、前記毛束用結束帯４及び保持体用結束帯６と同一の結束帯から頭部のみを切り離したものである。従って、前記頭部１９は、前記頭部１３，１７と同一のものである。なお、後述するように、前記保持体用結束帯６は、前記毛束用結束帯４により緊締された前記毛体２の束３を、前記保持体５に取付保持するためのものである。
【００２６】
前記保持体５の内部には、前記毛体２の束３の中央部３Ａが挿入される受筒部３２が設けられる。この受筒部３２は、前記側面部２１の内面下側から上方に、短円筒状に突設される。また、前記受筒部３２は、その内径が前記底板部２５より大きく、その上部開口縁３２Ｆが上部開口縁２３位置に近接すると共に、その上部開口縁３２Ｆが前記上部開口縁２３より下方に位置する。また、前記受筒部３２の内面には、周方向に略等間隔で複数のリブ部３３が縦設される。そして、これらのリブ部３３の上端には、上側外向きに傾斜した傾斜部３３Ａが形成される。また、図５に示すように、前記底板部２５には、前記従動軸２７を挟んだ両側に対をなす孔３４，３５が穿設される。これらの孔３４，３５は、前記保持体用結束帯６の帯状部１６が挿通可能で、且つ前記頭部１７，１９が挿通不可能な大きさに形成される。更に、前記各孔３４，３５の周囲を囲むように、前記底部２２に凹部３６，３７がそれぞれ形成される。なお、これらの凹部３６，３７の深さは、前記頭部１７，１９の高さ、幅、奥行きの何れの寸法よりも大きい。
【００２７】
図７に示すように、前記電動ブラシ本体７は、ケース状の先端部４１と、ケース状の基端部４２と、これら先端部４１と基端部４２を連結する杆状の連結部４３とを有する。前記先端部４１は、その先端側に、前記連結部４３の軸方向に対して傾斜して設けられた傾斜頭部４４を備える。この傾斜頭部４４は、その内部に、電動機４５と、この電動機４５の回転軸の回転を減速する減速機４６と、この減速機４６により回転する駆動軸４７とを有する。そして、この駆動軸４７の先端は、外部に突出する。
【００２８】
前記基端部４２内には、図示しない二次電池が設けられる。そして、前記基端部４２には、前記二次電池の電力により前記電動機４５を動作させるための操作を行うスイッチ等の操作部４２Ｓが設けられる。なお、電源として、二次電池以外に、一次電池や家庭用電源を用いても良い。
【００２９】
前記駆動軸４７は、その外周に、前記切欠溝３０に対応して、軸側切欠溝４７Ａが形成される。また、前記駆動軸４７の断面形状は、前記係合孔２８に対応して、略Ｄ字型をなす。そして、前記スナップピン２９が前記従動軸２７の切欠溝３０及び係合溝３１に装着された状態で、前記駆動軸４７を前記係合孔２８に挿入することで、前記ブラシ体は前記電動ブラシ本体７に装着される。詳述すると、前記駆動軸４７を前記係合孔２８に挿入することで、前記スナップピン２９の直線ピン部２９Ａは、前記駆動軸４７の先端部に押されて、前記係合ピン部２９Ｂから離れる方向に弾性変形し、前記係合孔２８から出る。このように、前記直線ピン部２９Ａが前記係合孔２８から出ることで、前記駆動軸２７は前記係合孔２８の奥に挿入可能となる。そして、前記軸側切欠溝４７Ａが前記切欠溝３０と重なると、前記直線ピン部２９Ａが復元し、この直線ピン部２９Ａが前記軸側切欠溝４７Ａと係合する。このように、前記直線ピン部２９Ａが前記軸側切欠溝４７Ａと係合することで、前記駆動軸４７に従動軸２７が抜け止め状態で連結される。
【００３０】
また、前記保持体５の基端側である下部の左右には、湾曲状板材からなる把持板４８，４８が下方に向って突設される。使用者は、この把持板４８，４８を把持することで、前記ブラシ体１を電動ブラシ本体７に対し容易に着脱することができる。また、前記ブラシ体１を電動ブラシ本体７に取り付けた状態で、前記駆動軸４７と従動軸２７との連結箇所の一部が、前記把持板４８，４８により覆われて隠される。これによって、例えば風呂を清掃する際に、風呂の栓を繋いでいるチェーン等が前記駆動軸４７や従動軸２７に絡むのを抑制することができる。
【００３１】
次に、前記保持体５への毛体２の取付保持方法の一例を説明する。前述した通り、前記束３は、多数のポリプロピレン製スプリットヤーンの毛体２からなる。このポリプロピレン製スプリットヤーンは、ポリプロピレンフィルムを一方向に延伸した後、多数の細い繊維に割くことで、予め生成される。そして、このようにして生成されたスプリットヤーンからなる毛体２を、同方向を向くように配列して、全体として長方形の厚めのシート状とする。このように配列された前記毛体２の長さ方向中央部を熱熔着した後、熔着帯の両側をミシン等で縫製する。このようにして、中央部３Ａにおいて前記毛体２が固定された前記束３が構成される。更に、このように中央部３Ａが固定された前記束３を、前記毛体２の配列方向に沿って複数回折り畳んで重ね合わせる（図８）。そして、前記束３の中央部３Ａに前記毛束用結束帯４の帯状部１２を巻き付けた後、前記帯状部１２の端部を前記頭部１３の図示しない貫通孔に挿通する（図９）。更に、前記結束部１１により前記束３の中央部３Ａを結束し、この後、前記余部１４の不要部分を切断除去する（図１０）。
【００３２】
前記保持体５側においては、前記孔３４に、前記保持体５の外側から前記保持体用結束帯６の帯状部１６を挿入する。そして、この帯状部１６を、前記束３の中央部３Ａ、好ましくは前記毛束用結束帯４の帯状部１２の上に重ねて巻き付けた後、前記帯状部１６の先端部を、前記保持体５の内側から前記孔３５に挿入する。なお、前記帯状部１６は、必ずしも前記帯状部１２と重なるように巻き付けなくてもよい。例えば、前記帯状部１６を、前記帯状部１２の近傍で前記束３の中央部３Ａに巻き付けてもよい。そして、前記帯状部１６の先端を、前記頭部１９の図示しない貫通孔に挿通し、前記帯状部１６のセレーションと前記頭部１９の爪を係合させる。更に、図１等に示すように、頭部１７，１９をそれぞれ凹部３６，３７に収納した状態で、前記帯状部１６と頭部１９とで、前記束３の中央部３Ａを緊締することで、前記束３を前記保持体５に固定する。その後、前記余部１８を切断する。この場合、前記帯状部１６の切断端１６Ｔが凹部３７内に位置するように切断する。そして、図１に示すように、前記凹部３６の深さ寸法は、前記頭部１７の高さ寸法より大きく、また、前記凹部３７の深さ寸法は、前記頭部１９の高さ寸法より小さい。従って、側面視において、前記頭部１７，１９及び切断端１６Ｔが前記筒部から露出することがない。なお、前述した通り、前記頭部１７と頭部１９は同一であり、図１においては向きが異なるだけである。図１の場合、前記頭部１７の高さ寸法は、前記頭部１９の幅寸法に等しい。一方、前記頭部１７の幅寸法は、前記頭部１９の高さ寸法に等しい。そして、前記毛体２の先端を切断して毛長を整え、整形する。更に、前述したように、前記スナップピン２９を前記従動軸２７の切欠溝３０及び係合溝３１に装着することで、前記ブラシ体１が完成する。
【００３３】
このようにして前記毛体２の束３を保持した前記保持体５を、前述の手順で前記電動ブラシ本体７に取り付ける。この後、前記操作部４２Ｓを操作して前記電動機４５を駆動することで、前記ブラシ体１が回転する。この際、図１に示すように、前記保持体用結束帯６により前記毛体２の束３の中央部３Ａが、前記従動軸２７の延長線上で、且つ、前記保持体用結束帯６の帯状部１６の両端が前記頭部１７，１９により均等に緊張されると共に、前記帯状部１６を通す孔３４，３５が前記従動軸２７に対して略対称な位置にあるため、前記束３を確実に保持することができると共に、前記ブラシ体１が回転しても、前記毛体２の束３を前記保持体５に対し安定して保持させることができる。
【００３４】
このように本実施例では、中央部３Ａが熱熔着及び縫製によって固定された多数の毛体２の束３と、この毛体２の束３を保持する保持体５とを有するブラシ体１において、この保持体５が有底で上部が開口した箱形をなし、この保持体５の底部２２に対の孔３４，３５を貫通形成すると共に、これらの孔３４，３５に通される保持体用結束帯６を用いて、前記毛体２の束３の中央部３Ａを前記保持体５内に保持して構成したから、前記ブラシ体１を回転ブラシに適用したとしても、前記ブラシ体１の回転によって前記毛体２の束３が前記保持体５から外れるのを防止することができる。
【００３５】
また、このように本実施例では、前記毛体２の束３の中央部３Ａを他の結束帯である毛束用結束帯４によって予め結束しておくことで、前記保持体用結束帯６を用いて前記毛体２の束３を前記取付体５に取り付ける際の作業性を向上させることができる。
【００３６】
また、このように本実施例では、前記保持体５の中心である従動軸２７を基準として、前記対の孔３４，３５をほぼ対称位置に設けたから、前記ブラシ体１を回転ブラシに適用した場合、前記ブラシ体１の回転中心付近で前記毛体２の束３を前記保持体５に保持することができるので、前記ブラシ体１が回転したとしても、前記毛体２の束３を前記保持体５に安定して保持させることができる。
【００３７】
更に、このように本実施例では、前記保持体５の底部２２に凹部３６，３７を設けると共に、これらの凹部３６，３７の深さを、保持体用結束帯６の頭部１７及び頭部１９の高さ寸法よりも大きくしたから、前記保持体用結束帯６の頭部１７，１９が露出しないようにして、外観上良好にすることができる。
【００３８】
また、実施例上の効果として、前記束３を結束した前記毛束用結束帯４の帯状部１２の上から、前記保持体用結束帯６の帯状部１６を重ねるようにして配置したから、前記保持体用結束帯６により前記束３を確実に前記保持体５に保持することができる。また、図１に示すように、前記孔３４，３５の間隔が前記束３の中央部３Ａの幅より狭いから、前記保持体用結束帯６により中央部３Ａを締めるようにして確実に保持できる。更に、前記保持体５内には、受部となる受筒部３２を設けたから、前記束３の中央部３Ａを安定して保持できる。
【００３９】
なお、本発明は以上の実施例に限定されるものではなく、発明の要旨の範囲内で種々の変形実施が可能である。例えば、上記実施例では、側面部が半球状となる、いわば椀状の保持体を示したが、側面部は裁頭円錐形やラッパ状、或いは短円筒状でもよい。また、毛体の材質等は各種のものを用いることができ、さらに、毛体の束の製造方法も適宜選定可能である。更に、上記実施例では、毛束用結束帯を用いて予め毛体の束を緊締したものを、保持体用結束帯を用いて前記保持体に緊締することで、前記束を前記保持体に保持させたが、前記毛体の束を数回折り重ねたものを、直接、前記保持体用結束帯を用いて前記保持体に緊締し、前記束を前記保持体に保持させてもよい。この場合、使用する結束帯の数を少なくすることができるという利点がある。その反面、作業性という観点では、上述した実施例のように、予め前記毛束用結束帯を用いて前記毛体の束を緊締しておいた方が、この束を前記保持体に保持させやすいので、作業性が高い。
【符号の説明】
【００４０】
１  ブラシ体
２  毛体
３  束
３Ａ  中心部
４  毛束用結束帯（他の結束帯）
５  保持体
６  保持体用結束帯（結束帯）
１７，１９  頭部
２２  底部
３４，３５  孔
３６，３７  凹部
【図１】
2015000139.tif 000003
【図２】
2015000139.tif 000004
【図３】
2015000139.tif 000005
【図４】
2015000139.tif 000006
【図５】
2015000139.tif 000007
【図６】
2015000139.tif 000008
【図７】
2015000139.tif 000009
【図８】
2015000139.tif 000010
【図９】
2015000139.tif 000011
【図１０】
2015000139.tif 000012
【図１１】
2015000139.tif 000013